(57)【特許請求の範囲】
【請求項１】
商品毎に設けられ、かつ商品を選択するための商品選択ボタンと、
予め決められた調合成分毎に設けられ、かつ該当する調合成分の量を調整するための調合ボタンの集合体となる調合ボタン群と
を備え、
いずれかの商品選択ボタンが押下された場合に、該当する商品を調理してカップに投入された状態で販売する自動販売機において、
前記商品選択ボタンは、前記調合ボタン群が押下されることなく自身が押下された場合に一の調合成分が標準量で混合された商品の選択を示すものであり、
前記一の調合成分以外の調合成分に該当する調合ボタン群が、該当する調合成分の増量及び減量を示す調合ボタン以外に該調合成分の標準量の投入を選択する標準量ボタンを有することにより、前記商品選択ボタンの取付スペースを低減化させて得られたスペースに設けられ、かつ商品の調理工程の一部を外部より視認可能にする窓部を備えたことを特徴とする自動販売機。
【請求項２】
前記商品選択ボタンが押下された場合に、前記窓部より視認可能な領域を照明する光源を備えたことを特徴とする請求項１に記載の自動販売機。
【請求項３】
前記商品選択ボタンが押下された場合に、調理工程において前記カップ内に各種原料が投入される様子を外部より視認可能にするウィンドウ部を備えたことを特徴とする請求項１又は請求項２に記載の自動販売機。
【発明の詳細な説明】
【技術分野】
【０００１】
本発明は、自動販売機に関し、より詳細には、例えばコーヒー飲料等の商品をカップに投入された状態で販売する自動販売機に関するものである。
【背景技術】
【０００２】
従来、前面を構成する外扉に透光性パネルが設けてあり、かかる透光性パネルを通じて前面側から内部を視認できるようにした自動販売機が知られている（例えば、特許文献１参照）。
【先行技術文献】
【特許文献】
【０００３】
【特許文献１】特開２００８−２６２２４９号公報
【発明の概要】
【発明が解決しようとする課題】
【０００４】
上述したような自動販売機は、商品を収納する商品収納コラムと、商品の搬送を行うバケットとを備えて構成されたもので、商品選択ボタンが押下された場合に、バケットが該当する商品を収納する商品収納コラムから商品を受け取り、商品取出口まで搬送する様子を利用者に視認させることにより、商品販売の演出効果の向上を図ったものである。
【０００５】
これに対し、いずれかの商品選択ボタンが押下された場合に、該当する商品を自動販売機本体内部で調理し、調理した商品をカップに投入された状態で取出口を臨む位置に搬送して販売するいわゆるカップ式の飲料自動販売機においては、上述した自動販売機のように内部構造を外部より視認させることが困難であった。
【０００６】
すなわち、カップ式の飲料自動販売機においては、同一の商品であっても加温商品用（ホット商品用）の商品選択ボタンが設けられているとともに、冷温商品用（コールド商品用）の商品選択ボタンが設けられているのが一般的である。しかも、それぞれの商品選択ボタンは、利用者の操作容易性の観点からブラック用のボタン、クリーム入り用のボタン、砂糖入り用のボタン、クリーム・砂糖入り用のボタンの４つから構成されている。つまり、同一の商品でも８つの商品選択ボタンが必要になっている。また、予め決められた調合成分、すなわちコーヒー豆、クリーム及び砂糖のそれぞれについて、増量ボタン及び減量ボタンからなる調合ボタン群が設けられており、これにより、商品選択ボタン等の取付スペースが大きいものになるという特徴を有していた。
【０００７】
また、カップ式の飲料自動販売機では、商品選択ボタン（ブラック用のボタン、クリーム入り用のボタン、砂糖入り用のボタン、クリーム・砂糖入り用のボタン）に対応して、商品イメージが描かれたフレーバーカードが設けられており、これにより商品選択ボタン等の取付スペースと、フレーバーカードの取付スペースとの占める割合が大きく、結果的に内部を視認できるような窓部を設けることが困難であった。
【０００８】
補足すると、利用者による視認性、並びに商品選択ボタン等の操作性向上の観点から商品選択ボタン及びフレーバーカードの取付スペースは、自動販売機の前面の略中央域に設けられることとなり、調理工程を視認できるような個所に窓部を設けることは困難であった。
【０００９】
本発明は、上記実情に鑑みて、調理工程の少なくとも一部を視認させることにより、商品販売の演出効果を向上させることが可能な自動販売機を提供することを目的とする。
【課題を解決するための手段】
【００１０】
上記目的を達成するため、本発明の請求項１に係る自動販売機は、商品毎に設けられ、かつ商品を選択するための商品選択ボタンと、予め決められた調合成分毎に設けられ、かつ該当する調合成分の量を調整するための調合ボタンの集合体となる調合ボタン群とを備え、いずれかの商品選択ボタンが押下された場合に、該当する商品を調理してカップに投入された状態で販売する自動販売機において、前記商品選択ボタンは、前記調合ボタン群が押下されることなく自身が押下された場合に一の調合成分が標準量で混合された商品の選択を示すものであり、前記一の調合成分以外の調合成分に該当する調合ボタン群が、該当する調合成分の増量及び減量を示す調合ボタン以外に該調合成分の標準量の投入を選択する標準量ボタンを有することにより、前記商品選択ボタンの取付スペースを低減化させて得られたスペースに設けられ、かつ商品の調理工程の一部を外部より視認可能にする窓部を備えたことを特徴とする。
【００１１】
また、本発明の請求項２に係る自動販売機は、上述した請求項１において、前記商品選択ボタンが押下された場合に、前記窓部より視認可能な領域を照明する光源を備えたことを特徴とする。
【００１２】
また、本発明の請求項３に係る自動販売機は、上述した請求項１又は請求項２において、前記商品選択ボタンが押下された場合に、調理工程において前記カップ内に各種原料が投入される様子を外部より視認可能にするウィンドウ部を備えたことを特徴とする。
【発明の効果】
【００１３】
本発明の自動販売機によれば、調合ボタン群が、該当する調合成分の増量及び減量を示す調合ボタン以外に該調合成分の投入を禁止、あるいは該調合成分以外の調合成分の投入を禁止するための禁止ボタンを有することにより、商品選択ボタンの取付スペースを低減化させ、これにより得られたスペースに調理工程の一部を外部より視認可能にする窓部を設けたので、利用者は調理工程を目視することができ、商品販売の演出効果を向上させることができるという効果を奏する。
【図面の簡単な説明】
【００１４】
【図１】図１は、本発明の実施の形態１である自動販売機を示す正面図である。
【図２】図２は、図１に示した自動販売機の内部構造を正面から示す正面図である。
【図３】図３は、図２で示したものの更に内部構造を正面から示す正面図である。
【図４】図４は、本発明の実施の形態１である自動販売機の原理図である。
【図５】図５は、図１に示した自動販売機の前面扉の要部、すなわち調合ボタン部を拡大して示す正面図である。
【図６】図６は、本発明の実施の形態１である自動販売機の変形例を示す正面図である。
【図７】図７は、図６に示した自動販売機の前面扉の要部、すなわち調合ボタン部を拡大して示す正面図である。
【図８】図８は、本発明の実施の形態１である自動販売機の変形例を示す正面図である。
【図９】図９は、図８に示した自動販売機の前面扉の要部、すなわち調合ボタン部を拡大して示す正面図である。
【図１０】図１０は、本発明の実施の形態２である自動販売機を示す正面図である。
【図１１】図１１は、本発明の実施の形態２である自動販売機の原理図である。
【発明を実施するための形態】
【００１５】
以下に添付図面を参照して、本発明に係る自動販売機の好適な実施の形態について詳細に説明する。
【００１６】
＜実施の形態１＞
図１〜図４は、それぞれ本発明の実施の形態１である自動販売機を示すもので、図１は正面図、図２は内部構造を正面から示す正面図、図３は図２で示したものの更に内部構造を正面から示す正面図、図４は原理図である。ここで例示する自動販売機は、レギュラーコーヒー飲料の他、ココア等のインスタント飲料を販売するカップ式の飲料自動販売機であって、より具体的には、クリーム、砂糖、ココア等の粉末原料をカップの内部で調理するカップ内ミキシング方式の飲料自動販売機であり、前面が開口した箱状の本体キャビネット１と、本体キャビネット１の前面開口を閉塞する前面扉２とを備えている。
【００１７】
図２〜図４に示すように、本体キャビネット１の内部には、リザーバ１１、温水タンク１２、製氷器１３、抽出装置１４、粉末原料供給装置１５、カップ供給装置１６及びカップ搬送装置１７を備えて構成してある。
【００１８】
リザーバ１１は、供給された水道水、あるいは図示せぬ給水タンクから供給された水を一時的に貯留するものである。このリザーバ１１で一時的に貯留された水は、温水タンク１２と製氷器１３とに供給されるようにしている。
【００１９】
温水タンク１２は、抽出装置１４の他、調理位置に搬送されたカップに供給する湯を貯留するもので、本体キャビネット１の内部上方右奥側、背壁に沿って設けてある。この温水タンク１２には、ヒータ（図示せず）が内蔵してあり、リザーバ１１から与えられた水を加熱して湯として貯留する。
【００２０】
このような温水タンク１２には、複数（図４の例では２つ）の湯弁が配設してある。一の湯弁１２１は、湯供給配管１２２を介して抽出装置１４に接続してあり、該湯弁１２１を開成させることにより湯供給配管１２２を通じて抽出装置１４に湯が供給されるようになっている。他の湯弁１２３は、湯供給配管１２４を介して調理位置に設けられたノズル１２５に接続してあり、該湯弁１２３を開成させることにより湯供給配管１２４を通じてノズル１２５に湯が供給されるようになっている。これにより、調理位置に搬送されたカップに対してノズル１２５より湯が注出されることになる。
【００２１】
製氷器１３は、リザーバ１１から供給された水から調理用の氷を製造するもので、図３に示すように、本体キャビネット１の内部上方左奥側に取り付けてある。製氷器１３は、図には明示しないが、円筒状の金属の内面に着氷した氷をオーガで連続的に掻き取り、上部に押し上げながら圧縮成形と切断とを行う製氷部と、製氷部でチップ状に形成された氷を貯蔵する氷ストッカー部とを備えている。氷ストッカー部にはアイスドアが設けてあり、このアイスドアは、氷供給配管１３１を介して調理位置に設けられたノズル（図示せず）に接続してある。アイスドアを開放させることにより、氷供給配管１３１を通じてノズルに氷が供給されるようになっている。これにより、調理位置に搬送されたカップに対してノズルより氷が投入されることになる。
【００２２】
抽出装置１４は、レギュラーコーヒー飲料を抽出するものであって、図３に示すように、本体キャビネット１の内部上方右側に取り付けてある。抽出装置１４は、上方から下方に向けて順に、豆キャニスタ１４１、コーヒーミル１４２、コーヒーブリュア１４３を備えている。
【００２３】
豆キャニスタ１４１は、透光性のある樹脂材料から構成されており、内部にコーヒー豆を収容している。尚、本実施の形態１における抽出装置１４では２つの豆キャニスタ１４１を備えている。このような豆キャニスタ１４１は、内部に原料モータ（図示せず）が設けてあり、かかる原料モータが駆動することにより該豆キャニスタ１４１に収容されたコーヒー豆がコーヒーミル１４２に供給されるようになっている。一方、原料モータが駆動停止することにより該豆キャニスタ１４１に収容されたコーヒー豆の供給が停止される。
【００２４】
コーヒーミル１４２は、豆キャニスタ１４１から供給されたコーヒー豆を挽くものである。このコーヒーミル１４２は、詳細は図示しないが、内部にシュート（水平方向に延びる円筒状の空間）が形成されたミル本体と、シュートに挿通され、外周に螺旋状の刃が形成されたオーガと、オーガを回転させるモータとを有している。そして、モータがオーガを回転させることによりコーヒーミル１４２に供給された豆は入口から出口に向けて送られ、その途中で粉砕されるようになっている。
【００２５】
このようなコーヒーミル１４２においては、ミル本体が豆キャニスタ１４１と同様に、透光性のある樹脂材料から構成されている。
【００２６】
コーヒーブリュア１４３は、コーヒーミル１４２から供給された挽き豆に温水タンク１２から供給された湯を注ぐことにより、レギュラーコーヒー飲料を抽出するものである。コーヒーブリュア１４３は、コーヒー供給配管１４４を介して調理位置に設けられたノズル１４５に接続してあり、かかるコーヒー供給配管１４４を通じて該ノズル１４５にレギュラーコーヒー飲料が供給されるようになっている。これにより、調理位置に搬送されたカップに対してノズル１４５よりレギュラーコーヒー飲料が注出されることになる。
【００２７】
粉末原料供給装置１５は、クリーム、砂糖等の粉末原料を原料毎に収容し、必要に応じて払い出すもので、図３に示すように、本体キャビネット１の内部上方中央に設けてある。粉末原料供給装置１５は、複数の原料キャニスタ１５１と、原料キャニスタ１５１毎に設けられた原料シュータ１５２とを備えている。
【００２８】
原料キャニスタ１５１は、粉末原料を収容して払い出す容器であり、上面が前下がりとなるように傾斜しており、この上面に原料投入口（図示せず）が形成してある。また、原料投入口は、開閉可能な蓋によって閉成してあり、粉末原料に異物が混入しないようになっている。また、原料キャニスタ１５１の底部には、螺旋状に形成されたスクリュ（図示せず）が回転可能に設けられ、原料キャニスタ１５１の奥に取り付けた原料モータが駆動すると、スクリュが回転し、原料キャニスタ１５１の底部前面に形成された原料払出口（図示せず）から粉末原料が払い出されるようになっている。
【００２９】
原料シュータ１５２は、対応する原料キャニスタ１５１から払い出された粉末原料を受け取り、一時的に収容するもので、原料キャニスタ１５１の前方から下方に延びる筒状をなしている。
【００３０】
カップ供給装置１６は、所定のカップ供給位置にカップを供給するもので、図２に示すように、本体キャビネット１の内部上方中央であって、上述した粉末原料供給装置１５の前方側に設けてある。
【００３１】
カップ搬送装置１７は、カップ供給位置において供給されたカップを受取位置を経由して調理位置に搬送した後、後述する取出口２１を臨む販売位置に搬送するものであって、本体キャビネット１の内部中央、粉末原料供給装置１５の下方側に設けてある。カップ搬送装置１７は、カップ供給位置において供給されたカップを把持するカップ把持部１７１と、カップ把持部１７１が把持したカップを左右方向及び前後方向に搬送する搬送装置１７２とを備えている。
【００３２】
搬送装置１７２は、販売待機状態においてカップ把持部１７１を販売位置に待機させるものである。その後に商品が選択されると、カップ供給位置にカップ把持部１７１を搬送し、カップ供給装置１６から供給されたカップをカップ把持部１７１に把持させるものである。カップ供給位置にてカップ把持部１７１にカップを把持させた後、搬送装置１７２は、カップ把持部１７１を受取位置に搬送する。ここで受取位置は、原料キャニスタ１５１から原料シュータ１５２に払い出された粉末原料を受け取る位置であって、粉末原料が払い出された原料シュータ１５２の下方が受取位置になる。例えばクリーム・砂糖入りレギュラーコーヒー飲料を販売する場合には、原料キャニスタ１５１から払い出されたクリームが一時的に収容される原料シュータ１５２の下方、並びに原料キャニスタ１５１から払い出された砂糖が一時的に収容される原料シュータ１５２の下方が受取位置になる。
【００３３】
そして、カップを把持するカップ把持部１７１を受取位置に順次搬送させることにより、カップ内に所望の粉末原料が投入される。その後、搬送装置１７２は、当該カップを把持するカップ把持部１７１を調理位置に搬送する。調理位置は、湯、レギュラーコーヒー飲料が注出される他、氷が供給される位置であって、カップ内の飲料を撹拌するパドル１８が昇降可能に設けてある。この調理位置にて湯、あるいはレギュラーコーヒー飲料の注出が完了すると、搬送装置１７２は、カップを把持するカップ把持部１７１を販売位置に搬送し、これにより、所望の商品がカップに投入された状態で利用者に提供することが可能になる。
【００３４】
前面扉２は、本体キャビネット１の前面開口を開閉可能となる態様で該本体キャビネット１の一側縁部に揺動可能に配設してあり、閉扉動作した場合に、本体キャビネット１の前面開口を閉塞するものである。この前面扉２は、図１に示すように、中程中央に取出口２１が設けてあり、その右方側に投入金額を表示する一体表示器２２、硬貨を投入するための硬貨投入口２３、返却レバー２４が設けてある。また、取出口２１の左方側には紙幣挿入口２５が設けてあり、前面扉２の下部右側には硬貨返却口２６が設けてある。
【００３５】
上記前面扉２の上半分には、商品選択ボタン３１、調合ボタン部３２及び窓部３３が設けてある。商品選択ボタン３１は、前面扉２の上半分の左側に複数配設してある。これら商品選択ボタン３１は、商品毎に設けてあり、同一の商品について加温商品用の商品選択ボタン３１と、冷温商品用の商品選択ボタン３１とが左右一対となる態様で設けてある。これら左右一対の商品選択ボタン３１、すなわち同一商品の加温商品用の商品選択ボタン３１と冷温商品用の商品選択ボタン３１とは、当該商品のイメージが描かれたフレーバーカード３１１を挟み込む態様で設けてある。また、各商品のフレーバーカード３１１が上下方向に沿って並んで設けてあり、これにより、加温商品用の商品選択ボタン３１どうしが上下方向に沿って並んで設けてあるとともに、冷温商品用の商品選択ボタン３１どうしが上下方向に沿って並んで設けてある。
【００３６】
上記商品選択ボタン３１は、調合ボタン部３２が押下されることなく自身が押下された場合には、予め決められた調合成分、すなわちコーヒー豆、クリーム及び砂糖が標準量で混合された商品の選択を示す入力手段である。
【００３７】
図５は、図１に示した自動販売機の前面扉２の要部、すなわち調合ボタン部３２を拡大して示す正面図である。この図５に示すように、調合ボタン部３２は、前面扉２の上半分の下部右側に設けてあり、複数（図示の例では３つ）の調合ボタン群３２１，３２２，３２３から構成してある。調合ボタン群３２１，３２２，３２３は、予め決められた調合成分であるコーヒー豆、クリーム及び砂糖毎に設けられ、各調合成分の量を調整するための調合ボタンの集合体となるものである。
【００３８】
調合ボタンについて説明すると、コーヒー豆については、コーヒー豆の減量を示す「うすめ」と表示された部位に配設された調合ボタン（コーヒー減量ボタン）３２１ｂと、コーヒー豆の増量を示す「濃いめ」と表示された部位に配設された調合ボタン（コーヒー増量ボタン）３２１ｃとを備える他、「ブラック」と表示された部位に配設された調合ボタン（ブラックボタン）３２１ａとが設けてある。この「ブラック」と表示された部位に配設された調合ボタン（ブラックボタン）３２１ａは、当該コーヒー豆以外の調合成分（クリーム及び砂糖）の投入を禁止する禁止ボタンである。
【００３９】
クリームについては、クリームの減量を示す「少なめ」と表示された部位に配設された調合ボタン（クリーム減量ボタン）３２２ｂと、クリームの増量を示す「多め」と表示された部位に配設された調合ボタン（クリーム増量ボタン）３２２ｃとを備える他、「なし」と表示された部位に配設された調合ボタン（クリームなしボタン）３２２ａとが設けてある。この「なし」と表示された部位に配設された調合ボタン（クリームなしボタン３２２ａ）は、当該調合成分（クリーム）の投入を禁止する禁止ボタンである。
【００４０】
砂糖については、砂糖の減量を示す「少なめ」と表示された部位に配設された調合ボタン（砂糖減量ボタン）３２３ｂと、砂糖の増量を示す「多め」と表示された部位に配設された調合ボタン（砂糖増量ボタン）３２３ｃとを備える他、「なし」と表示された部位に配設された調合ボタン（砂糖なしボタン）３２３ａとが設けてある。この「なし」と表示された部位に配設された調合ボタン（砂糖なしボタン）３２３ａは、当該調合成分（砂糖）の投入を禁止する禁止ボタンである。
【００４１】
窓部３３は、商品選択ボタン３１の右側であって、かつ調合ボタン部３２の上方となる部位に設けてある。この窓部３３は、透光性パネルが配設してあり、正面から内部を視認することを可能にするものである。この窓部３３は、後述するように、調合ボタン群３２１，３２２，３２３が該当する調合成分の増量及び減量を示す調合ボタン以外に該調合成分の投入を禁止、あるいは該調合成分以外の調合成分の投入を禁止するための禁止ボタン（ブラックボタン３２１ａ、クリームなしボタン３２２ａ及び砂糖なしボタン３２３ａ）を有することにより、商品選択ボタン３１の取付スペースを低減化させて得られたスペースに設けたものである。
【００４２】
この窓部３３の奥側には、抽出装置１４が設けてあり、しかも上述したように抽出装置１４を構成する豆キャニスタ１４１やコーヒーミル１４２は、透光性のある樹脂材料から構成されていることから、当該窓部３３を通じて、コーヒー豆の移動が見られるようになっており、商品の調理工程の一部を外部より視認することが可能になっている。つまり、窓部３３は、商品の調理工程の一部を外部より視認可能にするものである。
【００４３】
また、この窓部３３より視認可能な内部領域の適当な個所には、当該内部領域を照射する例えばＬＥＤ等の光源Ｌが配設してある。当該光源Ｌは、レギュラーコーヒー飲料に関連する商品の商品選択ボタン３１が押下されることにより点灯するものである。
【００４４】
以上のような構成を有する本実施の形態１である自動販売機は、次のようにして商品を販売することができる。
【００４５】
硬貨投入口２３、あるいは紙幣挿入口２５から販売される商品の対価以上の硬貨又は紙幣が投入されると、該当する商品の商品選択ボタン３１、並びに調合ボタン３２１ａ〜３２３ｃを有効化させる。
【００４６】
このような状態で調合ボタン３２１ａ〜３２３ｃが押下されることなく、レギュラーコーヒー飲料の加温商品用の商品選択ボタン３１が押下されたとする。上述したように、商品選択ボタン３１は、調合ボタン群３２１，３２２，３２３が押下されることなく自身が押下された場合には、コーヒー豆、クリーム及び砂糖が標準量で混合された商品の選択を示す入力手段であるから、カップ供給装置１６から供給されたカップには、所定の受取位置（クリームが一時的に収容される原料シュータ１５２の下方、並びに砂糖が一時的に収容される原料シュータ１５２の下方）にてクリーム及び砂糖が投入される。また、これと同時に光源Ｌが点灯されて抽出装置１４が照射され、抽出装置１４においてレギュラーコーヒー飲料の抽出が行われる。
【００４７】
そして、受取位置にて粉末原料が投入されたカップは、調理位置に搬送されて、抽出装置１４から抽出されたレギュラーコーヒー飲料が注出されるとともに、パドル１８により撹拌される。レギュラーコーヒー飲料の注出が完了すると、カップは、販売位置に搬送され、取出口２１を通じて利用者に提供され、これにより商品（レギュラーコーヒー飲料）が販売されることになる。
【００４８】
次に、利用者によりブラックボタン３２１ａが押下されてからレギュラーコーヒー飲料の加温商品用の商品選択ボタン３１が押下されたとする。この場合には、ブラックのレギュラーコーヒー飲料が選択されたと判断して、次のようにして販売される。すなわち、光源Ｌが点灯されて抽出装置１４が照射され、抽出装置１４においてレギュラーコーヒー飲料の抽出が行われるのと同時に、カップ供給装置１６から供給されたカップは調理位置に搬送され、該カップに抽出装置１４から抽出されたレギュラーコーヒー飲料が注出される。注出が完了すると、カップは、販売位置に搬送され、取出口２１を通じて利用者に提供され、これにより商品（ブラックのレギュラーコーヒー飲料）が販売されることになる。
【００４９】
また、利用者によりクリームなしボタン３２２ａが押下されてからレギュラーコーヒー飲料の加温商品用の商品選択ボタン３１が押下されたとする。この場合には、砂糖入りのレギュラーコーヒー飲料が選択されたと判断して、次のようにして販売される。すなわち、カップ供給装置１６から供給されたカップには、所定の受取位置（砂糖が一時的に収容される原料シュータ１５２の下方）にて砂糖が投入される。また、これと同時に光源Ｌが点灯されて抽出装置１４が照射され、抽出装置１４においてレギュラーコーヒー飲料の抽出が行われる。受取位置にて粉末原料が投入されたカップは、調理位置に搬送されて、抽出装置１４から抽出されたレギュラーコーヒー飲料が注出されるとともに、パドル１８により撹拌される。レギュラーコーヒー飲料の注出が完了すると、カップは、販売位置に搬送され、取出口２１を通じて利用者に提供され、これにより商品（砂糖入りのレギュラーコーヒー飲料）が販売されることになる。
【００５０】
更に、利用者により砂糖なしボタン３２３ａが押下されてからレギュラーコーヒー飲料の加温商品用の商品選択ボタン３１が押下されたとする。この場合には、クリーム入りのレギュラーコーヒー飲料が選択されたと判断して、次のようにして販売される。すなわち、カップ供給装置１６から供給されたカップには、所定の受取位置（クリームが一時的に収容される原料シュータ１５２の下方）にてクリームが投入される。また、これと同時に光源Ｌが点灯されて抽出装置１４が照射され、抽出装置１４においてレギュラーコーヒー飲料の抽出が行われる。受取位置にて粉末原料が投入されたカップは、調理位置に搬送されて、抽出装置１４から抽出されたレギュラーコーヒー飲料が注出されるとともに、パドル１８により撹拌される。レギュラーコーヒー飲料の注出が完了すると、カップは、販売位置に搬送され、取出口２１を通じて利用者に提供され、これにより商品（クリーム入りのレギュラーコーヒー飲料）が販売されることになる。
【００５１】
このように本実施の形態１である自動販売機においては、商品選択ボタン３１が、調合ボタン群３２１，３２２，３２３が押下されることなく自身が押下された場合に各調合成分が標準量で混合された商品の選択を示す入力手段であり、調合ボタン群３２１，３２２，３２３は、該当する調合成分の増量及び減量を示す調合ボタン以外に、該調合成分の投入を禁止、あるいは該調合成分以外の調合成分の投入を禁止するための禁止ボタン（ブラックボタン３２１ａ、クリームなしボタン３２２ａ及び砂糖なしボタン３２３ａ）を備えているため、同一の商品についての商品選択ボタン３１は、加温商品用のものと、冷温商品用のものとでよく、これにより同一の商品について８つの商品選択ボタンを必要とした従来の自動販売機に比して、商品選択ボタン３１の数を減少させることができる。従って、本実施の形態１である自動販売機によれば、商品選択ボタン３１の数を減少させることにより商品選択ボタン３１の取付スペースを低減化させることができる。
【００５２】
このように商品選択ボタン３１の数を減少させることができることから、配線の数を減少させることができ、これにより部品点数の削減を行ってコストの低減化を図ることができる。また、商品選択ボタン３１の数を減少させることにより自動販売機全体の小型化を図ることができ、種々のロケーションに応じて設置することが可能になる。
【００５３】
上記自動販売機においては、商品選択ボタン３１の取付スペースを低減させたスペースに、調理工程の一部を外部より視認可能にする窓部３３を設けたので、利用者は調理工程を目視することができ、商品販売の演出効果を向上させることが可能になる。このように演出効果を向上させることで、商品の売り上げ数の増大を期待することも可能になる。
【００５４】
以上、本発明の実施の形態１について説明したが、本発明はこれに限定されるものではなく、種々の変更を行うことができる。
【００５５】
上述した実施の形態１では、商品選択ボタン３１は、調合ボタン群３２１，３２２，３２３が押下されることなく自身が押下された場合には、予め決められた調合成分、すなわちコーヒー豆、クリーム及び砂糖が標準量で混合された商品の選択を示す入力手段であり、各調合ボタン群３２１，３２２，３２３には、禁止ボタン（ブラックボタン３２１ａ、クリームなしボタン３２２ａ及び砂糖なしボタン３２３ａ）が設けられていたが、本発明においては、図６及び図７に示すようにしても良い。尚、上述した実施の形態と同一の構成を有するものには同一の符号を付してある。
【００５６】
商品選択ボタン３１は、調合ボタン群４２１，４２２，４２３が押下されることなく自身が押下された場合に一の調合成分、すなわちコーヒー豆が標準量で混合された商品、つまりブラックのレギュラーコーヒー飲料の選択を示す入力手段である。また、各調合ボタン群４２１，４２２，４２３は、コーヒー豆については、コーヒー減量ボタン３２１ｂとコーヒー増量ボタン３２１ｃとを備えてある。クリームについては、クリーム減量ボタン３２２ｂと、クリーム増量ボタン３２２ｃとを備える他、「標準」と表示された部位に配設された調合ボタン（クリーム標準ボタン）４２２ａが設けてある。この「標準」と表示された部位に配設された調合ボタン（クリーム標準ボタン）４２２ａは、当該調合成分の標準量の投入を選択する標準量ボタンである。また、砂糖については、砂糖減量ボタン３２３ｂと、砂糖増量ボタン３２３ｃとを備える他、「標準」と表示された部位に配設された調合ボタン（砂糖標準ボタン）４２３ａが設けてある。この「標準」と表示された部位に配設された調合ボタン（砂糖標準ボタン）４２３ａは、当該調合成分の標準量の投入を選択する標準量ボタンである。
【００５７】
このような構成によっても、同一の商品についての商品選択ボタン３１は、加温商品用のものと、冷温商品用のものとでよく、これにより同一の商品について８つの商品選択ボタンを必要とした従来の自動販売機に比して、商品選択ボタン３１の数を減少させることができる。従って、商品選択ボタン３１の数を減少させることにより商品選択ボタン３１の取付スペースを低減化させることができる。
【００５８】
また、上述した実施の形態１では、商品選択ボタン３１は、加温商品用の商品選択ボタン３１と、冷温商品用の商品選択ボタン３１とが設けられていたが、本発明においては、図８及び図９に示すようにしても良い。尚、上述した実施の形態１と同一の構成を有するものには同一の符号を付してある。
【００５９】
すなわち、調合ボタン部５２は、自身が押下された場合に冷温商品を選択する冷温選択ボタン５２１を備えるようにしても良い。これによれば、商品選択ボタン３１としては、加温商品用のものだけでよく、商品選択ボタン３１の数を更に減少させることができ、これにより商品選択ボタン３１の取付スペースの低減化を図ることができる。
【００６０】
また、上述した実施の形態１では、調合ボタン部３２の上方に窓部３３を設けたが、本発明においては、当該スペースに広告パネル等を配設しても良い。
【００６１】
また、上述した実施の形態１では、光源Ｌは、商品選択ボタン３１が押下されることにより点灯するものであったが、本発明においてはこれに限定されず、例えば前面扉２に設けられた人感センサが利用者を検知した場合に点灯するようにしても良いし、豆キャニスタ１４１からコーヒーミル１４２への移動に応じて光源Ｌの点灯位置、あるいは点灯色を変更するようにしても良い。
【００６２】
＜実施の形態２＞
図１０及び図１１は、それぞれ本発明の実施の形態２である自動販売機を示すもので、図１０は正面図、図１１は原理図である。尚、上述した実施の形態１と同一の構成を有するものには同一の符号を付してその説明を省略する。
【００６３】
ここで例示する自動販売機は、前面扉２の中程中央にウィンドウ部６０が設けてある。かかるウィンドウ部６０は、透光性パネルが配設してあり、正面から内部を視認することを可能にするものである。このウィンドウ部６０の奥側は、カップ搬送装置１７によるカップの搬送経路となっている。従って、図１１の二点鎖線で囲繞したようなカップ内に各種原料が投入される工程を当該ウィンドウ部６０を通じて外部より視認することが可能になっている。
【００６４】
このようにウィンドウ部６０を通じて外部より視認可能とするために、本実施の形態２である自動販売機では次のような工夫を施している。氷供給配管１３１の途中に氷受容部１３２を設け、かかる氷受容部１３２で氷を一時的に受け取ってからノズルを通じてカップ内に氷を投入するようにしている。これにより氷の投入落差を十分に小さくすることができ、カップに氷を投入した際の飲料等の液体物の飛散を抑制することができる。
【００６５】
また、コーヒー供給配管１４４の途中に従来設けられていたエア抜き用のディフューザを取り外すとともに、コーヒー供給配管１４４の先端に取り付けられていたノズル１４５を昇降可能な構成にしている。これによりノズル１４５よりコーヒー飲料を吐出する際には、該ノズル１４５を下降移動させて、ノズル１４５の吐出口と、カップ内の液面との距離を十分に小さくすることができ、エアがはじける際の飛び散りを最小限レベルに抑制することができる。
【００６６】
更に、原料シュータ１５２を取り外して原料キャニスタ１５１を下方に位置させている。これにより原料キャニスタ１５１の原料払出口と、受取位置に位置するカップとの距離を十分に小さくすることができ、原料がこぼれてしまうことによる汚染を防止することができる。
【００６７】
このような工夫を施すことにより、カップ搬送装置１７により搬送されるカップ内に各種原料が投入される際の各種原料の飛散等による汚染を良好に防止することができ、ウィンドウ部６０を通じての良好な視認を確保することができる。
【００６８】
このように本発明の実施の形態２である自動販売機によれば、ウィンドウ部６０を通じて、調理工程におけるカップ内に各種原料が投入される様子を外部より視認可能にするので、利用者は調理工程を目視することができ、商品販売の演出効果を向上させることが可能になる。このように演出効果を向上させることで、商品の売り上げ数の増大を期待することも可能になる。
【００６９】
以上、本発明の好適な実施の形態２について説明したが、本発明はこれに限定されるものではなく、種々の変更を行うことができる。
【００７０】
例えば、上記ウィンドウ部６０により視認可能な内部領域の適当な個所には、当該内部領域を照射する例えばＬＥＤ等の光源が配設してあっても良い。これによれば、利用者にとってはカップ内に各種原料が投入される様子を良好に見ることが可能になる。
【産業上の利用可能性】
【００７１】
以上のように、本発明に係る自動販売機は、例えばコーヒー飲料等の商品をカップに投入された状態で販売するのに有用である。
【符号の説明】
【００７２】
１  本体キャビネット
２  前面扉
１４  抽出装置
１４１  豆キャニスタ
１４２  コーヒーミル
１４３  コーヒーブリュア
１５  粉末原料供給装置
１５１  原料キャニスタ
１５２  原料シュータ
１７  カップ搬送装置
３１  商品選択ボタン
３１１  フレーバーカード
３２  調合ボタン部
３２１〜３２３  調合ボタン群
３２１ａ〜３２３ｃ  調合ボタン
３３  窓部
６０  ウィンドウ部
Ｌ  光源
【図１】
0005526830.tif 000002
【図２】
0005526830.tif 000003
【図３】
0005526830.tif 000004
【図４】
0005526830.tif 000005
【図５】
0005526830.tif 000006
【図６】
0005526830.tif 000007
【図７】
0005526830.tif 000008
【図８】
0005526830.tif 000009
【図９】
0005526830.tif 000010
【図１０】
0005526830.tif 000011
【図１１】
0005526830.tif 000012